(57)【要約】【課題】足を保護しつつ、ナックリングの障害を持った動物に対して、正常な足の姿勢を保持して、正常な歩行動作を維持することができる動物用靴を提供する。【解決手段】本動物用靴１ａは、足先から包み込むように袋状に形成される袋体３と、該袋体３に装着される、正常な足の姿勢に矯正するための部材であって、正常な姿勢の足の裏面に沿って設けられる裏面部７及びその後面に沿って設けられる後面部８を少なくとも有する矯正部材４ａと、を備え、該矯正部材４ａは、弾性変形可能であり、裏面部７から後面部８に連なる接続部９は、裏面部７と後面部８とが離れる方向に屈曲変形しにくい程の剛性を有する。これにより、本動物靴１ａでは、足を保護しつつ、ナックリングの障害を持った動物に対して、正常な足の姿勢を保持して、正常な歩行動作を維持することができる。【選択図】図３
2018121539.tif 000002
【特許請求の範囲】
【請求項１】
４足歩行する動物の足を保護する動物用靴であって、
該動物用靴は、足先から包み込むように袋状に形成される袋体と、
該袋体に装着される、正常な足の姿勢に矯正するための部材であって、正常な姿勢の足の裏面に沿って設けられる裏面部及びその後面に沿って設けられる後面部を少なくとも有する矯正部材と、を備え、
該矯正部材は、弾性変形可能であり、そして、前記裏面部から前記後面部に連なる接続部は、前記裏面部と前記後面部とが離れる方向には屈曲変形しにくい程の剛性を有することを特徴とする動物用靴。
【請求項２】
前記接続部は、前記裏面部及び前記後面部よりもその厚さが厚く形成されていることを特徴とする請求項１に記載の動物用靴。
【請求項３】
４足歩行する動物の足を保護する動物用靴であって、
該動物用靴は、足先から包み込むように袋状に形成される袋体と、
該袋体に装着される、正常な足の姿勢に矯正するための部材であって、正常な姿勢の足の裏面に沿って設けられる裏面部、及び該裏面部に接続され、正常な姿勢の一側面または両側面に沿って設けられる側面部を少なくとも有する弾性変形可能な矯正部材と、
を備えることを特徴とする動物用靴。
【請求項４】
前記矯正部材は、熱可塑性樹脂、ゴム、樹脂発泡体またはゲルにて一体成形されてなることを特徴とする請求項１〜３のいずれかに記載の動物用靴。
【請求項５】
さらに、足に拘束するためのベルト部材を備えることを特徴とする請求項１〜４のいずれかに記載の動物用靴。
【発明の詳細な説明】
【技術分野】
【０００１】
本発明は、４足歩行する動物の足に履かせて、その足を保護する動物用靴に関するものである。
【背景技術】
【０００２】
従来から、夏場のアスファルト路面の熱さ、及び冬場の融雪剤や路面の冷たさから足を保護するための動物用靴が提案されている。しかしながら、近年では、人間の高齢化と共に動物、例えば犬の高齢化も進んでおり、病気等の原因により足の運びが悪く、足を引きずって歩行したり、足の裏を地面につけず、足の甲を地面につけた状態で歩行したり、足先の爪を擦りながら歩行する、いわゆるナックリングの障害を持った犬が増加しており、従来から提案された動物用靴では、ナックリングの障害を持った犬に対応することができなかった。
【０００３】
上述した問題に鑑みて、特許文献１に記載の動物用ナックリング装具が提案されている。当該特許文献１に記載の動物用ナックリング装具は、剛性を有するＬ字形をした保持部材を、例えば、犬の前足の指節関節が位置する部分の後方及び下側に配置して、装着用のベルトなどの装着具により装着するものである。
【先行技術文献】
【特許文献】
【０００４】
【特許文献１】特開２０１２−５５５９６号公報
【発明の概要】
【発明が解決しようとする課題】
【０００５】
しかしながら、上述した特許文献１に記載のナックリング装具では、剛性を有するＬ字形をした保持部材を採用しているので、動物が歩行する際、保持部材が足の動作に追従することができず、保持部材により正常な歩行動作を妨げる虞がある。
【０００６】
そして、本発明は、かかる点に鑑みてなされたものであり、足を保護しつつ、ナックリングの障害を持った動物に対して、正常な足の姿勢を保持して、正常な歩行動作を維持することができる動物用靴を提供することを目的とする。
【課題を解決するための手段】
【０００７】
本発明は、上記課題を解決するための手段として、請求項１に記載した発明は、４足歩行する動物の足を保護する動物用靴であって、該動物用靴は、足先から包み込むように袋状に形成される袋体と、該袋体に装着される、正常な足の姿勢に矯正するための部材であって、正常な姿勢の足の裏面に沿って設けられる裏面部及びその後面に沿って設けられる後面部を少なくとも有する矯正部材と、を備え、該矯正部材は、弾性変形可能であり、そして、前記裏面部から前記後面部に連なる接続部は、前記裏面部と前記後面部とが離れる方向には屈曲変形しにくい程の剛性を有することを特徴とするものである。
請求項１の発明では、動物用靴の袋体により足を保護することができる。また、矯正部材は裏面部、後面部及び接続部を有しているので、例えば、ナックリングの障害を持った犬に対して、例えば、前足であれば、指節関節の角度を正常な状態に保持することができる。また、矯正部材は、弾性変形可能であり、後面部が裏面部に対して、接続部を中心に前側へは即ち裏面部と後面部とが近づく方向へは、弾性的に屈曲変形しつつ、後側へは即ち裏面部と後面部とが離れる方向へは、屈曲変形しにくいので、正常な歩行動作を維持することができる。
【０００８】
請求項２に記載した発明は、請求項１に記載した発明において、前記接続部は、前記裏面部及び前記後面部よりもその厚さが厚く形成されていることを特徴とするものである。
請求項２の発明では、簡易な構造で、接続部の剛性を、裏面部と後面部とが離れる方向には屈曲変形しにくい程の剛性に容易に設定することができる。
【０００９】
請求項３に記載した発明は、４足歩行する動物の足を保護する動物用靴であって、該動物用靴は、足先から包み込むように袋状に形成される袋体と、該袋体に装着される、正常な足の姿勢に矯正するための部材であって、正常な姿勢の足の裏面に沿って設けられる裏面部、及び該裏面部に接続され、正常な姿勢の一側面または両側面に沿って設けられる側面部を少なくとも有する弾性変形可能な矯正部材と、を備えることを特徴とするものである。
請求項３の発明では、動物用靴の袋体により足を保護することができる。また、矯正部材は裏面部及び側面部を有しているので、例えば、ナックリングの障害を持った犬に対して、例えば、前足であれば、指節関節の角度を正常な状態に保持することができる。また、矯正部材は、弾性変形可能であり、側面部が裏面部に対して、前側へ即ち側面部が靴のつま先部に近づく方向へ、弾性的に屈曲変形するので、正常な歩行動作を維持することができる。
【００１０】
請求項４に記載した発明は、請求項１〜３のいずれかに記載した発明において、前記矯正部材は、熱可塑性樹脂、ゴム、樹脂発泡体またはゲルにて一体成形されてなることを特徴とするものである。
請求項４の発明では、斯様な矯正部材を装着することにより、装着による違和感を抑えることができる。
【００１１】
請求項５に記載した発明は、請求項１〜４のいずれかに記載した発明において、さらに、足に拘束するためのベルト部材を備えることを特徴とするものである。
請求項５の発明では、正常な歩行動作を促進させることができる。
【発明の効果】
【００１２】
本発明に係る動物用靴では、袋体により足を保護することができる。また、ナックリングの障害を持った動物に対して、矯正部材により、正常な足の姿勢に矯正して保持することができ、且つ正常な歩行動作を維持することができる。
【図面の簡単な説明】
【００１３】
【図１】図１は、本発明の第１実施形態に係る動物用靴を動物の足に履かせた状態の斜視図である。
【図２】図２は、本発明の第１実施形態に係る動物用靴の平面図である。
【図３】図３は、本発明の第１実施形態に係る動物用靴の側面図である。
【図４】図４は、本発明の第１実施形態に係る動物用靴に採用した矯正部材の側面図である。
【図５】図５は、他の実施形態に係る矯正部材の側面図である。
【図６】図６は、さらに他の実施形態に係る矯正部材の側面図である。
【図７】図７は、本発明の第２実施形態に係る動物用靴を動物の足に履かせた状態の斜視図である。
【図８】図８（ａ）は、本発明の第２実施形態に係る動物用靴に採用した矯正部材の側面図であり、（ｂ）は正面図である。
【発明を実施するための形態】
【００１４】
以下、本発明を実施するための形態を図１〜図８に基づいて詳細に説明する。
まず、本発明の第１実施形態に係る動物用靴１ａを、図１〜図６に基づいて説明する。
図１〜図３に示すように、本発明の第１実施形態に係る動物用靴１ａは、ナックリングの障害を持った動物に対して適用されるものであり、動物の足を保護しつつ、正常な足の姿勢を保持するためのものである。本動物用靴１ａは、足先から包み込むように袋状に形成される袋体３と、該袋体３に装着され、ナックリングの障害を持った足を、正常な足の姿勢に矯正するための矯正部材４ａと、を備えている。
【００１５】
図１〜図３に示すように、袋体３は、例えば犬の前足であれば、足先から手根球の手前までの範囲を包み込む大きさに形成される。袋体３は、防水性及び通気性の良い素材、例えばナイロン系やポリエステル系等の素材を縫製して構成される。なお、袋体３で、素材が二重に重なっている部位等には、通気性を良くするために、一方の素材にメッシュ加工が施される。本実施形態では、袋体３の、袋体３を足に履かせた際の前面に位置する素材にメッシュ加工が施されている。また、袋体３には、その外面で、地面に接触する部位から先端部位に至る範囲に、発泡ゴム等で構成されるシート状の断熱部材１２が縫着される。該断熱部材１２の地面と接触する面には、滑り止めとして凹凸状に加工（エンボス加工）されたものがある。
【００１６】
矯正部材４ａは、図１、図３及び図４に示すように、正常な姿勢の足の裏面に沿って設けられる裏面部７と、正常な姿勢の足の後面に沿って設けられる後面部８と、裏面部７から後面部８に連なる接続部９とからなる側面視略く字状に形成される。詳しくは、矯正部材４ａは、例えば犬の前足であれば、裏面部７が前足の裏面で指肉球から掌肉球に至る範囲に配置でき、接続部９が前足の指節関節部分に配置でき、また後面部８が前足の後面で中手骨部位に沿って手根球の手前まで配置できるように形成される。裏面部７は、矩形平板状に形成される。後面部８は、矩形弯曲板状に形成される。裏面部７と後面部８とは、緩やかな湾曲状に延びる接続部９により接続されている。裏面部７、後面部８及び接続部９の幅長は略同じである。裏面部７と後面部８との間の角度αは、種々の動物及び前後の足に対応して、適宜決定される。例えば、当該矯正部材４ａを犬の前足に対応させる際には、前足の指節関節が正常な角度を保持できるように、裏面部７と後面部８との間の角度αが適宜決定される。
【００１７】
裏面部７及び後面部８はその厚みが略同じであり、接続部９は、裏面部７及び後面部８よりもその厚みが厚く形成される。接続部９は、外面が膨出するようにしてその厚みを厚く形成している。この接続部９の剛性により、裏面部７と後面部８とが近接する方向には屈曲し易く、一方、離れる方向には屈曲変形しにくい、言い換えれば、後面部８が裏面部７に対して、接続部９を中心に前側には屈曲変形しやすく、後側には屈曲変形しにくくなる。矯正部材４ａは、柔らかく弾力性に優れた、熱可塑性樹脂、ゴム、樹脂発泡体またはゲルにて一体成形される。
【００１８】
矯正部材４ａは、例えば、熱可塑性エラストマー（ＴＰＥ）にて成形される。熱可塑性エラストマーは、高温で可塑化され、プラスチックのように加工が可能であり、常温ではゴム弾性体の性質を示す高分子材料である。矯正部材４ａには、熱可塑性エラストマーであって、特に、ジエン系やウレタン系を採用するのが好ましい。とりわけ好ましくは、ポリエーテルポリウレタンエラストマーあるいはポリエステルポリウレタンエラストマーである。また、矯正部材４ａの材質として、天然ゴム、合成天然ゴム、ブタジェンゴム、クロロプレンゴム、ウレタンゴム、シリコーンゴム、エチレン・酢酸ビニルゴム等を採用してもよい。
【００１９】
なお、矯正部材４ａの接続部９が、裏面部７と後面部８とが近接する方向には屈曲し易く、一方、離れる方向には屈曲変形しにくくなる程度の剛性を有するように、矯正部材４ａの材質（弾性率）、裏面部７及び後面部８の厚さ、接続部９の最大厚さ及び矯正部材４ａの幅長が適宜決定される。そして、矯正部材４ａは、袋体３の外面で、袋体３を足に履かせた際の後面から下面に至る範囲に接着剤等により装着される。なお、矯正部材４ａを、袋体３の内面に装着してもよい。また、矯正部材４ａを袋体３に装着する他の実施形態として、袋体３の、袋体３を足に履かせた際の後面で、後述する各ベルト部材１６、１６の内側に、下方に開口するポケット（図示略）を形成しておき、該ポケットに矯正部材４ａの後面部８を挿入しつつ、矯正部材４ａの裏面部７を袋体３の底面に面ファスナ等の係止手段にて係止する形態を採用してもよい。本実施形態は、袋体３と矯正部材４ａとを着脱自在に構成する形態である。
【００２０】
なお、他の実施形態に係る矯正部材４ａでは、図５に示すように、裏面部７の大きさを、例えば、犬の前足であれば掌肉球の全範囲または一部を覆う大きさに形成するようにしている。
【００２１】
さらに他の実施形態に係る矯正部材４ａとして、図６に示すように、当該矯正部材４ａを、上述した材料にて、裏面部７、後面部８及び接続部９の厚さを同じに一体成形し、接続部９の外面の一部に、矯正部材４ａ本体の材料よりも硬く弾性率の大きい、例えば、ポリプロピレン等の補強板１７を接着するようにしてもよい。なお、この実施形態の場合、裏面部７と後面部８とが近接する方向に屈曲しやすいように、補強板１７の一部と、接続部９の外面とを接着するようにしたほうが良い。
【００２２】
図１〜図３に示すように、袋体３の外面で、袋体３を足に履かせた際の後面（矯正部材４ａの後面部８が装着される面）に、帯状のベルト部材１６の一端側が縫着されている。なお、矯正部材４ａの後面部８を、ベルト部材１６の一端側と袋体３の外面との間に挟むように、ベルト部材１６の一端側を袋体３の外面に縫着するようにしている。ベルト部材１６の一端には、ベルト部材１６の他端を挿入して折り返すためのリング状金具１７が取り付けられている。ベルト部材１６の他端はベルト部材１６の表面の適宜箇所に係止される。その係止手段には面ファスナが採用される。
【００２３】
本実施形態では、袋体３の外面には、ベルト部材１６、１６は間隔を置いて２本装着されている。２本のベルト部材１６、１６のうち、一方のベルト部材１６は、一端側を袋体３に縫着して、他端を袋体３の周りを一方向に回すように延在させて、他方のベルト部材１６は、一端側を袋体３に縫着して、他端を袋体３の周りを他方向に回すように延在させている。そして、本動物用靴１ａを足に履かせた後、各ベルト部材１６の他端を袋体３の周りを回すように延在させて、リング状金具１７に挿入して折り返し、その他端を面ファスナより各ベルト部材１６の表面の適宜箇所に係止する。その結果、各ベルト部材１６により、矯正部材４ａの後面部８を足の後面にフィットさせて拘束することができる。
【００２４】
以上説明した、第１実施形態に係る動物用靴１ａを、ナックリングの障害を持った、例えば犬の前足に履かせると、矯正部材４ａの裏面部７、後面部８及び接続部９により、前足の指節関節の角度を正常な状態に保持することができ、前足の姿勢を正常に保持することができる。さらに、第１実施形態に係る動物用靴１ａでは、矯正部材４ａは、弾性変形可能であり、接続部９の剛性により、裏面部７と後面部８とが近接する方向には屈曲し易く、一方、離れる方向には屈曲変形しにくいので、歩行の際には後面部８が足の動作に追従することができ、矯正部材４ａを装着した動物用靴１ａであっても、正常な歩行動作を維持することができる。
【００２５】
また、第１実施形態に係る動物用靴１ａでは、矯正部材４ａを、柔らかく弾力性のある、熱可塑性樹脂、ゴム、樹脂発泡体またはゲルにて一体成形しているので、矯正部材４ａを装着することによる違和感を抑えることができ、さらには、矯正部材４ａの後面部８を、足に拘束するためのベルト部材１６を備えているので、正常な歩行動作で快適に歩行させることができる。
【００２６】
次に、本発明の第２実施形態に係る動物用靴１ｂを、図７及び図８に基づいて説明する。第２実施形態に係る動物用靴１ｂを説明する際には、第１実施形態に係る動物用靴１ａとの相違点のみを説明する。
袋体３には、図７に示すように、袋体３を足に履かせた際の両側面の位置で、各ベルト部材１６、１６の内側に、下方に開口するポケット１９、１９がそれぞれ形成される。
【００２７】
矯正部材４ｂは、図８に示すように、正常な姿勢の足の裏面に沿って設けられる裏面部７と、該裏面部７に接続され、正常な姿勢の足の両側面に沿って設けられる一対の側面部２０とから構成される。各側面部２０は、矩形平板状に形成される。各側面部２０は、袋体３のポケット１９に挿入できる大きさに形成される。この矯正部材４ｂの側面部２０が、袋体３のポケット１９に着脱自在に装着される。裏面部７と各側面部２０との間の角度αは、種々の動物及び前後の足に対応して、適宜決定される。図８に示す実施形態では、側面部２０が足の両側面に沿うように一対設けられているが、側面部２０を足の一側面だけに沿うように片方だけ設けてもよい。
【００２８】
そして、第２実施形態に係る動物用靴１ｂでは、まず、動物用靴１ｂの袋体３を、例えば犬の前足に履かせて、前足の指節関節の角度を正常にした後に、矯正部材４ｂの各側面部２０を袋体３の各ポケット１９にそれぞれ挿入しつつ、矯正部材４ｂの裏面部７を袋体３の底面に面ファスナ等の係止手段にて係止するようにする。
【００２９】
これにより、第２実施形態に係る動物用靴１ｂにおいても、第１実施形態に係る動物用靴１ａと同様の効果を奏することができ、さらに、矯正部材４ｂと袋体３とが着脱自在に構成されているので、第２実施形態に係る動物用靴１ｂを、容易に動物の足に履かせることができる。
【００３０】
上述した第１及び第２実施形態に係る本動物用靴１ａ、１ｂは、犬や猫等、４足歩行する動物の前足や後足に適用でき、特に、ナックリングの障害を持った動物に対して適用されるものである。
【符号の説明】
【００３１】
１ａ、１ｂ  動物用靴，３  袋体，４ａ、４ｂ  矯正部材，７  裏面部，８  後面部，９  接続部，１６  ベルト部材，２０  側面部
【図１】
2018121539.tif 000003
【図２】
2018121539.tif 000004
【図３】
2018121539.tif 000005
【図４】
2018121539.tif 000006
【図５】
2018121539.tif 000007
【図６】
2018121539.tif 000008
【図７】
2018121539.tif 000009
【図８】
2018121539.tif 000010
【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
４足歩行する動物の足を保護する動物用靴であって、
該動物用靴は、足先から包み込むように袋状に形成される袋体と、
該袋体に装着される、正常な足の姿勢に矯正するための部材であって、正常な姿勢の足の裏面に沿って設けられる裏面部及びその後面に沿って設けられる後面部を少なくとも有する矯正部材と、を備え、
該矯正部材は、弾性変形可能であり、そして、前記裏面部から前記後面部に連なる接続部は、前記裏面部と前記後面部とが離れる方向には屈曲変形しにくい程の剛性を有しており、かつ
前記後面部は、矩形弯曲板状に形成されることを特徴とする動物用靴。
【請求項２】
前記接続部は、前記裏面部及び前記後面部よりもその厚さが厚く形成されていることを特徴とする請求項１に記載の動物用靴。
【請求項３】
前記矯正部材は、熱可塑性樹脂、ゴム、樹脂発泡体またはゲルにて一体成形されてなることを特徴とする請求項１または２に記載の動物用靴。
【請求項４】
さらに、足に拘束するためのベルト部材を備えることを特徴とする請求項１〜３のいずれかに記載の動物用靴。
【手続補正２】
【補正対象書類名】明細書
【補正対象項目名】０００７
【補正方法】変更
【補正の内容】
【０００７】
本発明は、上記課題を解決するための手段として、請求項１に記載した発明は、４足歩行する動物の足を保護する動物用靴であって、該動物用靴は、足先から包み込むように袋状に形成される袋体と、該袋体に装着される、正常な足の姿勢に矯正するための部材であって、正常な姿勢の足の裏面に沿って設けられる裏面部及びその後面に沿って設けられる後面部を少なくとも有する矯正部材と、を備え、該矯正部材は、弾性変形可能であり、そして、前記裏面部から前記後面部に連なる接続部は、前記裏面部と前記後面部とが離れる方向には屈曲変形しにくい程の剛性を有しており、かつ前記後面部は、矩形弯曲板状に形成されることを特徴とするものである。
請求項１の発明では、動物用靴の袋体により足を保護することができる。また、矯正部材は裏面部、後面部及び接続部を有しているので、例えば、ナックリングの障害を持った犬に対して、例えば、前足であれば、指節関節の角度を正常な状態に保持することができる。また、矯正部材は、弾性変形可能であり、後面部が裏面部に対して、接続部を中心に前側へは即ち裏面部と後面部とが近づく方向へは、弾性的に屈曲変形しつつ、後側へは即ち裏面部と後面部とが離れる方向へは、屈曲変形しにくいので、正常な歩行動作を維持することができる。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
請求項３に記載した発明は、請求項１または２に記載した発明において、前記矯正部材は、熱可塑性樹脂、ゴム、樹脂発泡体またはゲルにて一体成形されてなることを特徴とするものである。
請求項３の発明では、斯様な矯正部材を装着することにより、装着による違和感を抑えることができる。
【手続補正５】
【補正対象書類名】明細書
【補正対象項目名】００１１
【補正方法】変更
【補正の内容】
【００１１】
請求項４に記載した発明は、請求項１〜３のいずれかに記載した発明において、さらに、足に拘束するためのベルト部材を備えることを特徴とするものである。
請求項４の発明では、正常な歩行動作を促進させることができる。
【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
４足歩行する動物の足を保護する動物用靴であって、
該動物用靴は、足先から包み込むように袋状に形成される袋体と、
該袋体に装着される、正常な足の姿勢に矯正するための部材であって、正常な姿勢の足の裏面に沿って設けられる裏面部及びその後面に沿って設けられる後面部を少なくとも有する矯正部材と、を備え、
該矯正部材は、弾性変形可能であり、そして、前記裏面部から前記後面部に連なる接続部は、前記裏面部と前記後面部とが離れる方向には屈曲変形しにくい程の剛性を有しており、かつ前記後面部は、矩形弯曲板状に形成され、
前記接続部は、前記裏面部及び前記後面部よりもその厚さが厚く形成されていることを特徴とする動物用靴。
【請求項２】
前記矯正部材は、熱可塑性樹脂、ゴム、樹脂発泡体またはゲルにて一体成形されてなることを特徴とする請求項１に記載の動物用靴。
【請求項３】
さらに、足に拘束するためのベルト部材を備えることを特徴とする請求項１または２に記載の動物用靴。
【手続補正２】
【補正対象書類名】明細書
【補正対象項目名】０００７
【補正方法】変更
【補正の内容】
【０００７】
本発明は、上記課題を解決するための手段として、請求項１に記載した発明は、４足歩行する動物の足を保護する動物用靴であって、該動物用靴は、足先から包み込むように袋状に形成される袋体と、該袋体に装着される、正常な足の姿勢に矯正するための部材であって、正常な姿勢の足の裏面に沿って設けられる裏面部及びその後面に沿って設けられる後面部を少なくとも有する矯正部材と、を備え、該矯正部材は、弾性変形可能であり、そして、前記裏面部から前記後面部に連なる接続部は、前記裏面部と前記後面部とが離れる方向には屈曲変形しにくい程の剛性を有しており、かつ前記後面部は、矩形弯曲板状に形成され、前記接続部は、前記裏面部及び前記後面部よりもその厚さが厚く形成されていることを特徴とするものである。
請求項１の発明では、動物用靴の袋体により足を保護することができる。また、矯正部材は裏面部、後面部及び接続部を有しているので、例えば、ナックリングの障害を持った犬に対して、例えば、前足であれば、指節関節の角度を正常な状態に保持することができる。また、矯正部材は、弾性変形可能であり、後面部が裏面部に対して、接続部を中心に前側へは即ち裏面部と後面部とが近づく方向へは、弾性的に屈曲変形しつつ、後側へは即ち裏面部と後面部とが離れる方向へは、屈曲変形しにくいので、正常な歩行動作を維持することができる。さらに、接続部は、裏面部及び後面部よりもその厚さが厚く形成されているので、簡易な構造で、接続部の剛性を、裏面部と後面部とが離れる方向には屈曲変形しにくい程の剛性に容易に設定することができる。
【手続補正３】
【補正対象書類名】明細書
【補正対象項目名】０００８
【補正方法】削除
【補正の内容】
【手続補正４】
【補正対象書類名】明細書
【補正対象項目名】００１０
【補正方法】変更
【補正の内容】
【００１０】
請求項２に記載した発明は、請求項１に記載した発明において、前記矯正部材は、熱可塑性樹脂、ゴム、樹脂発泡体またはゲルにて一体成形されてなることを特徴とするものである。
請求項２の発明では、斯様な矯正部材を装着することにより、装着による違和感を抑えることができる。
【手続補正５】
【補正対象書類名】明細書
【補正対象項目名】００１１
【補正方法】変更
【補正の内容】
【００１１】
請求項３に記載した発明は、請求項１または２に記載した発明において、さらに、足に拘束するためのベルト部材を備えることを特徴とするものである。
請求項３の発明では、正常な歩行動作を促進させることができる。